(57)【特許請求の範囲】
【請求項１】
右耳用と左耳用の一対の補聴器本体と、
前記一対の補聴器本体に接続され、弾性を有するストラップと、
軸線を有して前記補聴器本体から突出し、前記軸線に直交する断面の前記軸線を通る第１の径方向の長さと前記軸線を通る第２の径方向の長さとが異なる外形状で形成される第１係合部と、
前記第１係合部と略同一の外形状を有し、前記ストラップに形成され、前記第１係合部に同軸で係合した状態で、前記第１の径方向及び前記第２の径方向が揃う第２係合部と、
を備える、補聴器。
【請求項２】
請求項１に記載の補聴器であって、
前記第１係合部の第１端面には、前記軸線に沿う方向で凹む凹部が形成され、
前記第２係合部の第２端面には、前記第１係合部と同軸で係合した状態で、前記凹部に嵌入する凸部が形成される、補聴器。
【請求項３】
請求項２に記載の補聴器であって、
前記凹部には、前記凸部の進入方向に向かって嵌入空間が狭まるテーパが形成される、補聴器。
【請求項４】
請求項１〜３のいずれか１項に記載の補聴器であって、
前記第１係合部及び前記第２係合部には、前記同軸で係合した状態で、前記軸線を中心とする半径方向内側と半径方向外側とで嵌合する突起と窪み部が設けられる、補聴器。
【発明の詳細な説明】
【技術分野】
【０００１】
本開示は、補聴器に関する。
【背景技術】
【０００２】
ストラップが装着される聴力補助装置が知られている（特許文献１参照）。使用者は、ストラップの端部に設けられた取付け具を、例えば、ベルトなどに装着することによって、聴力補助装置を使用者の腰から吊り下げる。
【０００３】
また、高齢者が補聴器を紛失しないようにするため、バックバンドを備える補聴器紛失防止具が知られている（特許文献２参照）。使用者は、補聴器に比べ大きなバックバンドを常時接続し、補聴器を安定した状態で使用できる。補聴器は、耳から取り外した場合でも、補聴器だけの場合に比べ十分な大きさがあるので紛失しにくくなる。
【先行技術文献】
【特許文献】
【０００４】
【特許文献１】特開２０１５−９５６６２号公報
【特許文献２】実用新案登録第３１９７５２５号公報
【発明の概要】
【発明が解決しようとする課題】
【０００５】
従来の技術では、補聴器本体とストラップとの接続部分において、取り外し易さが考慮されていない。補聴器は、特に高齢者がユーザとなる場合、補聴器とストラップとを取り外し易くしたいというニーズがある。
【０００６】
本開示は、上記事情に鑑みてなされたものであり、補聴器本体とストラップとを容易に取り外しできる補聴器を提供する
【課題を解決するための手段】
【０００７】
本開示の補聴器は、右耳用と左耳用の一対の補聴器本体と、一対の補聴器本体に接続され、弾性を有するストラップと、軸線を有して補聴器本体から突出し、軸線に直交する断面の軸線を通る第１の径方向の長さと軸線を通る第２の径方向の長さとが異なる外形状で形成される第１係合部と、第１係合部と略同一の外形状を有し、ストラップに形成され、第１係合部に同軸で係合した状態で、第１の径方向及び第２の径方向が揃う第２係合部と、を備える。
【発明の効果】
【０００８】
本開示によれば、補聴器本体とストラップとを容易に取り外しできる。
【図面の簡単な説明】
【０００９】
【図１】第１の実施形態に係るストラップを示す平面図
【図２】図１に示したストラップと一方の補聴器本体の分解斜視図
【図３】ストラップが係合した補聴器本体を第１の径方向が左右方向となる向きで見た平面図
【図４】図３のストラップを切り欠いた平面図
【図５】ストラップが係合した補聴器本体を第２の径方向が左右方向となる向きで見た側面図
【図６】図５のストラップを切り欠いた側面図
【図７】ストラップが係合した補聴器本体を第１の径方向が左右方向となる向きで軸線に沿う方向から見た正面図
【図８】図２に示したストラップの要部拡大斜視図
【図９】ストラップを第１の径方向が左右方向となる向きで見た要部拡大図
【図１０】図９のＡ−Ａ断面図
【図１１】ストラップを第２の径方向が左右方向となる向きで見た要部拡大図
【図１２】図１１のＢ−Ｂ断面図
【図１３】図６のストラップが４５°回転された状態の動作説明図
【図１４】ストラップが９０°回転された補聴器本体を第１の径方向が左右方向となる向きで見た動作説明図
【図１５】ストラップが９０°回転された補聴器本体を第１の径方向が左右方向となる向きで軸線に沿う方向から見た動作説明図
【図１６】図１４のストラップを切り欠いた動作説明図
【図１７】ストラップが９０°回転された補聴器本体を第２の径方向が左右方向となる向きで見た動作説明図
【図１８】図１７のストラップを切り欠いた動作説明図
【発明を実施するための形態】
【００１０】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。尚、添付図面及び以下の説明は、当業者が本開示を十分に理解するために提供されるものであり、これらにより特許請求の範囲に記載の主題を限定することは意図されていない。
【００１１】
（第１の実施形態）
［構成等］
図１は第１の実施形態に係る補聴器１００のストラップ１５を示す平面図である。図２は一方の補聴器本体１１とストラップ１５の分解斜視図である。
【００１２】
補聴器１００は、右耳用の補聴器本体１１と、左耳用の補聴器本体と、ストラップ１５と、第１係合部と、第２係合部と、を含む構成として有する。なお、右耳用の補聴器本体１１と左耳用の補聴器本体とは、左右勝手の違い以外は同一の構成であるので、以下は右耳用の補聴器本体１１を代表例として説明する。
【００１３】
ストラップ１５は、弾性材からなり、紐部１７の両端に、第２係合部を有してなる。第２係合部は、例えばキャップ部１９となる。ストラップ１５は、キャップ部１９が硬いシリコンゴム（例えば硬度７０度程度）からなり、紐部１７が柔らかいシリコンゴム（例えば硬度５０度程度）からなる。ストラップ１５は、例えばキャップ部１９と紐部１７とが２色成形されて生成される。
【００１４】
ストラップ１５は、右耳用の補聴器本体１１と、左耳用の補聴器本体とを繋ぐようにして使用される。ストラップ１５は、補聴器本体１１を繋ぐことにより、首かけ機能や、片方が耳から外れても他方が残れば脱落しない機能、を有する。ストラップ１５は、補聴器本体１１から取り外し可能となることにより、例えばストラップ１５のカラーバリエーションから任意のものが選択できるようになる。
【００１５】
なお、紐部１７は、長手方向中央部に、ジョイント部２１が設けられていてもよい。補聴器１００は、ストラップ１５がジョイント部２１で分割されることにより、１個使いが可能となる。この場合、ジョイント部２１は、衣服等に係止可能なクリップ等の係止具を接続可能としてもよい。
【００１６】
また、ストラップ１５は、紐部１７が省略され、キャップ部１９を単体で有してもよい。この場合、補聴器１００は、ストラップ１５（紐部１７とキャップ部１９）又はキャップ部１９を選択的に装着すること（２ＷＡＹ使用）が可能となる。キャップ部１９は、例えば、ストラップ１５の紐部１７が不要な際に有効となる。
【００１７】
図３はストラップ１５が係合した補聴器本体１１を第１の径方向が左右方向となる向きで見た平面図である。図４は図３のストラップ１５を切り欠いた平面図である。
【００１８】
補聴器本体１１は、細径部２３から音導管２５が突出する。補聴器本体１１は、細径部２３と大径部２７との略中間から音導管２５と反対側に向かって突出する第１係合部を有する。第１係合部は、例えば係合軸部２９となる。
【００１９】
係合軸部２９は、軸線３１を有して補聴器本体１１から突出する。係合軸部２９は、基軸部３３と、係合部３５と、を有する。基軸部３３には、一側面に充電端子部３７が設けられる。基軸部３３は、軸線３１に直交する断面の軸線３１を通る第１の径方向の長さと、軸線３１を通る第２の径方向の長さとが異なる外形状で形成される。基軸部３３は、断面形状が例えば楕円となる。この楕円は、例えば第１の径方向の長さが短径Ｓとなる。
【００２０】
図５はストラップ１５が係合した補聴器本体１１を第２の径方向が左右方向となる向きで見た側面図である。図６は図５のストラップ１５を切り欠いた側面図である。
【００２１】
基軸部３３は、例えば第２の径方向の長さが長径Ｌとなる。長径Ｌは、短径Ｓよりも長い。係合部３５は、基軸部３３から同軸で首部３９が突出する。首部３９は、例えば、軸線直交方向の断面形状が短径Ｓよりも小径の円形に形成される。首部３９の先端には、傘部４１が同軸で形成される。傘部４１は、例えば、軸線直交方向の断面形状が短径Ｓよりも小さく首部３９の外径よりも大きい円形で形成される。傘部４１は、先端に向かって徐々に縮径する湾曲面４３を有する。
【００２２】
傘部４１は、湾曲面４３の先端面が第１端面４５となる。係合軸部２９は、第１端面４５に、軸線３１に沿う方向で凹む凹部４７が形成される。凹部４７は、傘部４１の第１端面４５を直径方向で切り込んだスリットとなる。凹部４７は、キャップ部１９に設けられる後述の凸部６５（図１０参照）と係合する。
【００２３】
凹部４７は、深さ方向に向かって対向する内壁面が徐々に接近するテーパ４９を有する。より具体的には、凹部４７は、溝断面の最深部で半円形の凹所となり、その半円形の両端が、係合軸部２９の先端に向かって徐々に離反する一対の拡開内壁面５１と接続する。
【００２４】
また、係合軸部２９は、首部３９の直径方向両端の外周に、一対の窪み部５３が形成される。窪み部５３は、キャップ部１９に設けられる後述の突起５５（図１０参照）と係合する。
【００２５】
図７はストラップ１５が係合した補聴器本体１１を第１の径方向が左右方向となる向きで軸線３１に沿う方向から見た正面図である。
【００２６】
図７中、黒塗りの楕円は、ストラップ１５のキャップ部１９となる。係合軸部２９は、キャップ部１９が係合した状態において、軸線３１に沿う方向から見ると、キャップ部１９の背部に重なって隠れる。
【００２７】
図８は図２に示したストラップ１５の要部拡大斜視図である。
【００２８】
ストラップ１５のキャップ部１９は、係合軸部２９と同一の外形状を有して形成される。すなわち、キャップ部１９は、例えば、外形状が短径Ｓと長径Ｌを有する楕円の筒体で形成される。
【００２９】
キャップ部１９は、補聴器本体１１の係合軸部２９に同軸で係合した状態で、図７に示したように、第１の径方向及び第２の径方向が揃う。つまり、係合軸部２９とキャップ部１９との軸線３１に沿う外壁面が同一平面上に位置する。
【００３０】
キャップ部１９は、筒体に同軸の係合穴５７が形成される。係合穴５７は、例えば円形で形成される。係合穴５７の入口には、内方に向かって縮径される案内テーパ面５９が形成される。案内テーパ面５９は、係合軸部２９の進入を円滑に案内する。
【００３１】
図９はストラップ１５を第１の径方向が左右方向となる向きで見た要部拡大図である。
【００３２】
ストラップ１５は、短径Ｓに連続する紐部１７が、幅Ｎで形成される。短径Ｓのキャップ部１９から紐部１７までは、徐々に幅狭となるキャップ部１９のテーパ連結部６１により接続される。
【００３３】
図１０は図９のＡ−Ａ断面図である。
【００３４】
キャップ部１９は、係合穴５７のキャップ底面が第２端面６３となる。第２端面６３には、キャップ部１９が係合軸部２９と同軸で係合した状態で、傘部４１の凹部４７に嵌入する凸部６５が形成される。凸部６５は、キャップ部１９の軸線３１を通り、短径Ｓに沿って延在する凸条で形成される（図８参照）。
【００３５】
凸部６５は、キャップ底面の隆起部６７の頂部に形成される。隆起部６７は、頂部から裾部に向かって、凸部６５の厚み方向で徐々に拡がるテーパ状に形成される。キャップ部１９の隆起部６７及び凸部６５は、キャップ部１９が係合軸部２９と同軸で係合した状態で、係合軸部２９の凹部４７と拡開内壁面５１と密接する。凹部４７は、凸部６５の進入方向に向かって嵌入空間が狭まるように形成される。
【００３６】
また、キャップ部１９の開口側内周には、縮径されたリップ部６９が形成される。リップ部６９は、キャップ部１９と係合軸部２９が係合した状態で、係合軸部２９の首部３９に嵌入する。リップ部６９は、係合軸部２９に、離反方向の軸力が加えられると、傘部４１により弾性変形して拡がる。係合軸部２９は、更に離反方向へ引っ張られることによりリップ部６９からの離脱が可能となる。キャップ部１９は、傘部４１が離脱すると、リップ部６９が元の内径に弾性復帰する。
【００３７】
また、係合軸部２９とキャップ部１９には、同軸で係合した状態で軸線３１を中心とする半径方向内側と半径方向外側とで嵌合する突起５５と窪み部５３とが設けられる。突起５５は、キャップ部１９の内周面において、直径方向の両端に一対、配置される。突起５５は、リップ部６９の内周面から半径方向内側に突出する。一対の突起５５は、キャップ部１９と係合軸部２９が係合した状態で、首部３９の外周に設けられた一対の窪み部５３に嵌入する。突起５５は、キャップ部１９と係合軸部２９とが相対回転されると、窪み部５３から抜け出て首部３９の外周に乗り上げる。
【００３８】
図１１はストラップ１５を第２の径方向が左右方向となる向きで見た要部拡大図である。図１２は図１１のＢ−Ｂ断面図である。
【００３９】
ストラップ１５は、長径Ｌに連続する紐部１７が、幅Ｗで形成される。この幅Ｗは、上記の幅Ｎよりも大きい。つまり、紐部１７は、帯状に形成される。長径Ｌのキャップ部１９から紐部１７までは、徐々に幅狭となるキャップ部１９のテーパ連結部６１により接続される。
【００４０】
次に、補聴器本体１１とストラップ１５との取り外し手順を説明する。
図１３は図６のストラップが４５°回転された状態の動作説明図である。
【００４１】
ストラップ１５を補聴器本体１１から取り外すには、ユーザは、補聴器本体１１とキャップ部１９とを相対回転させる。キャップ部１９は、係合軸部２９に対して、４５度回転されると、キャップ部１９の凸部６５が、係合軸部２９の凹部４７のテーパ４９から反力を受け、凹部４７から離脱する方向の軸力で押圧される。換言すれば、傘部４１は、凸部６５に乗り上げ始める。
【００４２】
図１４はストラップが９０°回転された補聴器本体１１を第１の径方向が左右方向となる向きで見た動作説明図である。図１５はストラップが９０°回転された補聴器本体１１を第１の径方向が左右方向となる向きで軸線３１に沿う方向から見た動作説明図である。
【００４３】
補聴器本体１１に対してキャップ部１９が９０度回転すると、キャップ部１９は、長径Ｌが、係合軸部２９の短径Ｓに沿う方向に配置される。
【００４４】
これにより、キャップ部１９は、長径Ｌ方向の両端が、係合軸部２９の短径Ｓ方向の両端から、半径方向外側に突出する。ユーザは、係合軸部２９の基軸部３３の外周から突出した長径Ｌの両端に、容易に爪を引っ掛けることが可能となる。キャップ部１９は、基軸部３３との接続面に爪が掛けられ、基軸部３３と離反方向に引っ張られる。これにより、キャップ部１９は、リップ部６９が拡径して傘部４１を離脱させ、係合軸部２９から取り外される。
【００４５】
図１６は図１４のストラップ１５を切り欠いた動作説明図である。
【００４６】
補聴器本体１１に対してストラップ１５が９０°回転されると、キャップ部１９の凸部６５は、凹部４７から抜けでて、係合軸部２９の傘部４１の第１端面４５に乗り上げる。キャップ部１９は、凸部６５が第１端面４５に乗り上げることで、係合軸部２９から離脱方向の軸力で押圧される。その結果、キャップ部１９は、係合軸部２９から離反し、係合軸部２９の基軸部３３との間に、隙間を生じさせる。ストラップ１５は、この隙間が形成されることにより、爪や指先による引っ掛けがより容易に行えるようになる。
【００４７】
なお、キャップ部１９は、係合軸部２９から離反する際、傘部４１によってリップ部６９が拡径される。リップ部６９が傘部４１に乗り上げたキャップ部１９は、離脱方向に更に引っ張られることで、係合軸部２９からの取り外しが容易に行える。
【００４８】
図１７はストラップ１５が９０°回転された補聴器本体１１を第２の径方向が左右方向となる向きで見た動作説明図である。
【００４９】
上記の説明は、係合軸部２９に対してキャップ部１９を取り外す観点で説明したが、逆に、キャップ部１９に対して係合軸部２９を取り外すようにしてもよい。
【００５０】
即ち、係合軸部２９は、キャップ部１９が９０度回転されると、長径Ｌが、キャップ部１９の短径Ｓに沿う方向に配置される。これにより、係合軸部２９は、長径Ｌ方向の両端が、キャップ部１９の短径Ｓ方向の両端から、半径方向外側に突出する。ユーザは、キャップ部１９の短径Ｓの外周から突出した基軸部３３の長径Ｌの両端に、容易に爪を引っ掛けることが可能となる。基軸部３３は、キャップ部１９との接続面に爪が掛けられ、キャップ部１９と離反方向に引っ張られる。これにより、係合軸部２９は、キャップ部１９のリップ部６９を拡径し、傘部４１を離脱させ、キャップ部１９から取り外される。
【００５１】
従って、係合軸部２９とキャップ部１９との取り外しは、双方の長径Ｌの両端に爪や指先を引っ掛けることで、より容易に行うことができる。
【００５２】
図１８は図１７のストラップ１５を切り欠いた動作説明図である。
【００５３】
係合軸部２９とキャップ部１９とが係合状態から、所定以上の回転力が加えられて９０度相対回転されると、キャップ部１９の突起５５が、首部３９の窪み部５３から首部３９の外周に乗り上げる。これにより、係合軸部２９とキャップ部１９とは、回転方向の規制が解除され、回転が容易となる。
【００５４】
なお、突起５５と窪み部５３とは、係合軸部２９とキャップ部１９とが正規の係合位置で相互に嵌入する。係合軸部２９とキャップ部１９とは、突起５５と窪み部５３との嵌入により、回転負荷が増加する。ユーザは、ストラップ１５の取付時、この回転負荷の増加により、係合軸部２９とキャップ部１９との正規の係合状態を容易に把握できる。
【００５５】
［作用等］
次に、補聴器１００の作用を説明する。
【００５６】
補聴器１００は、補聴器本体１１の係合軸部２９と、ストラップ１５のキャップ部１９とが、同一の外形状で形成される。ストラップ１５は、キャップ部１９を係合軸部２９に係合することにより、補聴器本体１１に取り付けられる。
【００５７】
係合軸部２９とキャップ部１９は、同軸で係合した状態で、第１の径方向及び第２の径方向が揃う。即ち、係合軸部２９とキャップ部１９は、係合した状態で、軸線３１に沿う方向の任意位置での断面形状が同一となる。
【００５８】
補聴器本体１１からストラップ１５を取り外す際、補聴器本体１１とストラップ１５とは、相対回転される。相対回転とは、補聴器本体１１とストラップ１５とのいずれか一方に対して他方が回転されることを言う。補聴器本体１１とストラップ１５とは、相対回転されると、係合軸部２９とキャップ部１９の第１の径方向と第２の径方向が揃わなくなる。
【００５９】
係合軸部２９とキャップ部１９との接続面では、径方向の長さの違いから、外周面に段差が生じる。ストラップ１５は、係合軸部２９の外周よりも半径方向外側に突出した段差部分（第２端面６３のはみ出し部分）に爪等を引っ掛けることにより、係合軸部２９からキャップ部１９が離脱しやすくなる。よって、ストラップ１５により、補聴器本体１１の紛失を抑制でき、補聴器本体１１から取り外し容易である。
【００６０】
また、係合軸部２９とキャップ部１９とは、同軸で係合した状態で、第１端面４５の凹部４７に、第２端面６３の凸部６５が嵌入する。補聴器本体１１とストラップ１５は、相対回転されると、凹部４７から凸部６５が外れ、凸部６５が第１端面４５に乗り上げる。
【００６１】
これにより、第１端面４５と第２端面６３とには、離反方向の軸力が生じる。係合軸部２９とキャップ部１９とは、この軸力により接続面同士が離間して隙間が生じ、上記の段差とも相俟って更に取り外し易くなる。
【００６２】
また、補聴器１００は、係合軸部２９とキャップ部１９とが係合した状態から非係合状態に移行する際、テーパ４９により凸部６５が凹部４７から抜け出し易くなる。即ち、凸部６５は、凹部４７の形成されている第１端面４５に乗り上げ易くなる。
【００６３】
これにより、ストラップ１５は、回転が容易となり、取り外し易くなる。また、ストラップ１５は、凸部６５に必要以上の応力が加わらなくなり、テーパ４９がない場合に比べ、耐久性が向上する。
【００６４】
更に、係合軸部２９とキャップ部１９とは、係合した状態で、突起５５と窪み部５３が嵌合する。
【００６５】
これにより、係合軸部２９とキャップ部１９は、係合状態から非係合状態への不要な相対回転が抑制される。
【００６６】
従って、本実施形態に係る補聴器１００によれば、補聴器本体１１とストラップ１５とを容易に取り外しできる。
【００６７】
（他の実施形態）
以上のように、本開示における技術の例示として、第１の実施形態を説明した。しかし、本開示における技術は、これに限定されず、変更、置き換え、付加、省略などを行った実施形態にも適用できる。
【００６８】
第１の実施形態では、補聴器１００に、左右双方の補聴器本体が含まれることを例示したが、左右のいずれか一方の補聴器本体が含まれ、左右のいずれか他方の補聴器本体が含まれなくてもよい。
【００６９】
第１の実施形態では、凹部４７や凸部６５にテーパ４９を設ける場合を説明したが、このテーパ４９は、省略されてもよい。
【００７０】
第１の実施形態では、基軸部３３やキャップ部１９が楕円である場合を説明したが、本開示の構成は、基軸部３３やキャップ部１９が、楕円以外に、長円、三角形、正方形、矩形、六角形等その他の多角形であってもよい。
【００７１】
第１の実施形態では、窪み部５３と突起５５とが設けられる場合を説明したが、窪み部５３と突起５５とが省略されてもよい。
【００７２】
第１の実施形態では、補聴器本体１１にストラップ１５が取り付け可能であることを例示した。尚、第１の実施形態のストラップ１５の構成が、例えば補聴器本体１１の紛失抑制のためにストラップ１５以外の取付具に適用されてもよい。
【産業上の利用可能性】
【００７３】
本開示は、補聴器本体とストラップとを容易に取り外しできる補聴器等に有用である。
【符号の説明】
【００７４】
１１…補聴器本体
１５…ストラップ
１９…キャップ部
２９…係合軸部
３１…軸線
４５…第１端面
４７…凹部
４９…テーパ
５３…窪み部
５５…突起
６３…第２端面
６５…凸部
１００…補聴器
Ｌ…長径
Ｓ…短径
【図１】
0006731653.tif 000002
【図２】
0006731653.tif 000003
【図３】
0006731653.tif 000004
【図４】
0006731653.tif 000005
【図５】
0006731653.tif 000006
【図６】
0006731653.tif 000007
【図７】
0006731653.tif 000008
【図８】
0006731653.tif 000009
【図９】
0006731653.tif 000010
【図１０】
0006731653.tif 000011
【図１１】
0006731653.tif 000012
【図１２】
0006731653.tif 000013
【図１３】
0006731653.tif 000014
【図１４】
0006731653.tif 000015
【図１５】
0006731653.tif 000016
【図１６】
0006731653.tif 000017
【図１７】
0006731653.tif 000018
【図１８】
0006731653.tif 000019